(57)【要約】【課題】便器の中の浅い部分へ落とした小物を拾うことができるとともに、大便を細かく切って水に流しやすく処理することもできる大便処理カッターを提供する。【解決手段】スライドリング１５を後退させ、バネ７の付勢力により一対のアーム１をＶ字状に開いた状態にし、大便３９の両外側に位置させ、両アームのＶ字状の外側を手でつかむことで、バネ７の付勢力に抗してＶ字状を閉じ、これにより、両アームのＶ字状の先端で、大便３９を挟み、細かく切って水に流しやすく処理することができる。また、便器の中へ落とした小物を、同様にして挟み、拾うことができる。さらに、スライドリング１５を前進させ、閉じた状態にした大便処理カッターを、トイレブラシ２３の柄２５の下面に形成した凹部２９へ、収納する（図２）ことで、通常備えられるトイレブラシ２３と一体の状態で、常設でき、設置のための新たな場所を必要としない。【選択図】図１
2013159955.tif 000002
【特許請求の範囲】
【請求項１】
洋式や和式の便器の中で固くて大きな大便を細かく切って水に流しやすく処理するためのカッターであって、一対のアームと、前記一対のアームの基端を連結して全体をＶ字状にするための連結部と、前記Ｖ字状の基部の内側に設けられ前記Ｖ字状を開く方向へ付勢するアーチ状のバネと、前記連結部の周囲に配置されスライドし前進して前記アームのＶ字状を閉じるスライドリングと、閉じる前記一対のアームが位置ずれしないように一方のアームの内側に形成された凸部と、この凸部に嵌合する位置で他方のアームの内側に形成された凹部と、を有してなることを特徴とする大便処理カッター。
【請求項２】
前記大便処理カッターが前記一対のアームを閉じた状態で収納される凹部を柄の下面に形成したトイレブラシを備えたことを特徴とする請求項１に記載の大便処理カッター。  
【発明の詳細な説明】
【技術分野】
【０００１】
この発明は、洋式や和式の便器の中で固くて大きな大便を細かく切って水に流しやすく処理するためのカッターに関する。
【背景技術】
【０００２】
洋式や和式の便器の中で大便が水に流れなくなり、水をせき止め、溢れてしまう事故が生じ得る。事故の原因は、長い間便秘が続き、便が大量になったことが多い。しかも便秘後の便は固くて、水流によって流されにくい性質を持つことが一般的であり、事故を起きやすくする。
【０００３】
また、洋式や和式の便器の中へ、小物を、すなわち鍵、携帯電話、財布、小銭などを落としてしまうことがあり、素手で拾うには躊躇してしまうことがある。
落とした小物が、便器の奥に形成されるＳ字状のトラップの部分にまで流されてしまったときに、その小物を拾うための装置は、下記特許文献１に記載される。この装置は、Ｓ字状のトラップの部分にまで届く、長いワイヤーの先端に、小物を係止し引きずり出すためのラッパ状の爪が設けられる。
【先行技術文献】
【特許文献】
【０００４】
【特許文献１】実公平０７−００８６１８
【発明の概要】
【発明が解決しようとする課題】
【０００５】
しかしながら、上記特許文献１は、便器の中の浅い部分へ落とした小物を拾うのには適していない。また、大便を細かく切って水に流しやすく処理することもできない。
この発明は、以上の問題点を解決するために、便器の中の浅い部分へ落とした小物を拾うことができるとともに、大便を細かく切って水に流しやすく処理することもできる大便処理カッターを提供することを目的とする。
【課題を解決するための手段】
【０００６】
以上の課題を解決するために、第一発明は、洋式や和式の便器の中で固くて大きな大便を細かく切って水に流しやすく処理するためのカッターであって、一対のアームと、前記一対のアームの基端を連結して全体をＶ字状にするための連結部と、前記Ｖ字状の基部の内側に設けられ前記Ｖ字状を開く方向へ付勢するアーチ状のバネと、前記連結部の周囲に配置されスライドし前進して前記アームのＶ字状を閉じるスライドリングと、閉じる前記一対のアームが位置ずれしないように一方のアームの内側に形成された凸部と、この凸部に嵌合する位置で他方のアームの内側に形成された凹部と、を有してなることを特徴とする大便処理カッターである。
第二発明は、さらに、前記大便処理カッターが前記一対のアームを閉じた状態で収納される凹部を柄の下面に形成したトイレブラシを備えたことを特徴とする大便処理カッターである。
【発明の効果】
【０００７】
第一、又は第二発明によれば、スライドリングを後退させ、バネの付勢力により一対のアームをＶ字状に開いた状態にし、大便の両外側に位置させ、両アームのＶ字状の外側を手でつかむことで、バネの付勢力に抗してＶ字状を閉じ、これにより、両アームのＶ字状の先端で、大便を挟み、細かく切って水に流しやすく処理することができる。また、便器の中へ落とした小物を、同様にして挟み、拾うことができる。
【０００８】
第二発明によれば、さらに、スライドリングを前進させることでアームのＶ字状を閉じた状態にした大便処理カッターを、トイレブラシの柄の下面に形成した凹部へ、収納することで、通常備えられるトイレブラシと一体の状態で、常設でき、設置のための新たな場所を必要としない。
【図面の簡単な説明】
【０００９】
【図１】この発明の一実施形態に係る大便処理カッターを示す図で、（Ａ）は閉じた状態の側面図、（Ｂ）は開いた状態の斜視図、（Ｃ）は（Ｂ）を角度を変えて上から見た図である。
【図２】図１の大便処理カッターを収納するトイレブラシとともに示す図で、（Ａ）は収納前の側面図、（Ｂ）は（Ａ）において収納した状態を下から見た図である。
【発明を実施するための形態】
【００１０】
この発明の実施形態を、図１及び図２に示す。
図１に示すように、一対のアーム１は、各基端３が連結されて、全体がＶ字状になり、Ｖ字状を維持する一定の弾性を有する。これら一対のアーム１は、Ｖ字状を閉じ、互いに合わさった状態では、長い円筒状になる。これら一対のアーム１が基端３において連続する連結部５も、ほぼ同じ形の円筒状を有する。
【００１１】
アーム１のＶ字状の基部の内側には、細い板状で、アーチ状のバネ７が設けられる。このバネ７は、Ｖ字状を一定の開度に開く方向へ積極的に付勢する。アーチ状の一端９は、一方のアーム１の内側の基端近くに固定され、アーチ状の他端１１は、同じアーム１の基端３のうちやや先端寄りに、滑り可能な状態で、接触している。アーチ状の盛り上がった中央１３は、他方のアーム１の内側に接触する。
【００１２】
円筒状の連結部５の周囲には、環状のスライドリング１５が配置され、円筒状の軸芯の長手方向へスライド可能に位置する。スライドし前進して、アーム１のＶ字状の基部に接触し、Ｖ字状を閉じる。さらに、閉じて円筒状になった一対のアーム１の上にまで、スライド移動し、閉じた状態を維持する（図１（Ａ）図２（Ｂ）参照）。
【００１３】
アーム１の先端側において、一方のアーム１の内側に凸部１７が形成される。この凸部１７に嵌合する位置で他方のアーム１の内側に凹部１９が形成される。これらの凸部１７と凹部１９が嵌合することで、閉じる動作を行う一対のアーム１の位置がずれないように、ガイドが行われる。凸部１７の先端は角が丸くなっており、嵌合は滑らかに行われる。  また、アーム１の先端はゴムのカバー２１で覆われ、小物を拾うのに、滑りにくい。
【００１４】
図２に示すように、以上の構成を有する大便処理カッター２２は、専用のトイレブラシ２３に、一体的に収納される。すなわち、このトイレブラシ２３は、通常のブラシと同様に、柄２５の先端にブラシ部分２７が設けられる。そして、大便処理カッターの一対のアーム１を閉じた状態で、すっぽりと収納される収納凹部２９を、専用のトイレブラシ２３の柄２５の下面に形成する。収納凹部２９の先端の縁部には、ストッパー３１が設けられ、収納する際に、閉じたアーム１の先端を位置決めし、収納動作のガイドを行う。収納した状態で、収納凹部２９の後端には、隙間３３があり、この隙間３３に指を入れて、大便処理カッター２２の後端を収納凹部２９から起し、収納凹部２９から取出すことができる。柄２５の後端の係止凹部３５は、トイレブラシ２３を吊り下げる際に使用する、例えば壁に設けられたフックを係止する。
【００１５】
「実施形態の効果」
この実施形態の大便処理カッター２２によれば、使用時には、閉じた状態から、スライドリング１５を後退させ、バネ７の付勢力により一対のアーム１をＶ字状に開いた状態にする（図１（Ｂ））。そして、開いた状態のアーム１のＶ字状の両先端を、大便の両外側に位置させ、両アームのＶ字状の外側で連結部５にやや近い部位、すなわちグリップ３７を手でつかむ。よって、バネ７の付勢力に抗してＶ字状を閉じ、これにより、両アームのＶ字状の先端で、大便３９を挟み（図１（Ｃ））、細かく切って水に流しやすく処理することができる。  また、同様に、開いた状態のアーム１をＶ字状の両先端を、便器の中へ落とした小物の両外側に位置させ、両アームのＶ字状の外側を手でつかむことで、小物を、同様にして挟み、拾うことができる。
【００１６】
さらに、スライドリング１５を前進させることでアーム１のＶ字状を閉じた状態に維持できる（図１（Ａ））。そして、このように閉じた大便処理カッターを、トイレブラシ２３の柄２５の下面に形成した凹部２９へ、収納する（図２（Ａ）（Ｂ））ことで、通常備えられるトイレブラシ２３と一体の状態で、常設でき、設置のための新たな場所を必要としない。大便処理カッターは、できるだけ人目に付かない場所に設置すべきであるが、トイレ内は狭く、適切な設置スペースがない。しかし、トイレブラシ２３と一体の状態で、設置できることで、新たな設置場所は不要となる。しかもトイレブラシ２３の柄２５の下面に収納する（図２（Ｂ））ので、設置状態が目立たない。
また、大便処理カッター２２は、使用後に、直ちにトイレブラシ２３で洗うことができる。
【符号の説明】
【００１７】
１…アーム、３…基端、５…連結部、７…バネ、９…アーチ状の一端、１１…アーチ状の他端、１３…中央、１５…スライドリング、１７…凸部、１９…凹部、２１…カバー、２２・・大便処理カッター、２３…トイレブラシ、２５…柄、２７…ブラシ部分、２９…収納凹部、３１…ストッパー、３３…隙間、３５…係止凹部、３７…グリップ、３９…大便。
【図１】
2013159955.tif 000003
【図２】
2013159955.tif 000004